(57)【要約】      （修正有）【課題】撮影条件の設定に係るユーザの作業負担の軽減を図ることができる、放射線画像撮影装置、放射線画像撮影方法、及び放射線画像撮影プログラムを提供する。【解決手段】導出部２８は、受付部２６が受け付けた仮想グリッド特性（グリッド比）に対応する撮影条件を記憶部３０に記憶されているテーブルに基づいて、導出する。導出部２８は、導出した撮影条件を線源制御部２２にセットする。線源制御部２２は、セットされた撮影条件に応じて放射線源１８を制御して、放射線画像の撮影を行う。画像処理装置１２の実行部３２は、放射線検出器２０により撮影された放射線画像を、検出器制御部２４を介して取得する。実行部３２は、取得した放射線画像に対して、受付部２６が受け付けた仮想グリッド特性、及び導出部２８が導出した撮影条件に基づいて、仮想グリッド処理を行い、散乱線の影響を除去した放射線画像を生成し、表示部３６に表示させる。【選択図】図１
2015188712.tif 000002
【特許請求の範囲】
【請求項１】
被写体に放射線を照射することにより撮影された放射線画像に対し、前記被写体を透過した放射線に含まれる散乱線の影響を除去する散乱線除去処理を行う放射線画像撮影装置であって、
前記放射線画像の撮影において前記散乱線を除去するために仮想的に使用したものとするグリッドの特性であり、前記除去量を設定するための仮想グリッド特性の入力を受け付ける受付部と、
前記受付部により受け付けられた仮想グリッド特性に応じて、前記放射線画像の撮影条件を導出する導出部と、
を備えた放射線画像撮影装置。
【請求項２】
前記導出部により導出された撮影条件で前記放射線画像を撮影する撮影部をさらに備えた、
請求項１に記載の放射線画像撮影装置。
【請求項３】
前記撮影部により撮影された放射線画像に対し、前記仮想グリッド特性に応じた除去量で前記散乱線除去処理を実行する実行部をさらに備えた、
請求項２に記載の放射線画像撮影装置。
【請求項４】
前記実行部は、再撮影において、前回撮影において受け付けられた前記仮想グリッド特性に基づいて散乱線除去処理を行う、
請求項３に記載の放射線画像撮影装置。
【請求項５】
前記仮想グリッド特性と、当該仮想グリッド特性に応じた撮影条件と、が対応付けられて記憶された記憶部をさらに備え、
前記導出部は、前記受付部により受け付けられた仮想グリッド特性に対応する前記撮影条件を前記記憶部から読み出すことにより、前記撮影条件を導出する、
請求項１から請求項４のいずれか１項に記載の放射線画像撮影装置。
【請求項６】
前記導出部が、前記受付部により受け付けられた仮想グリッド特性に加えて
前記被写体の体格に関する情報も使用して撮影条件を導出する、
請求項１から請求項５のいずれか１項に記載の放射線画像撮影装置。
【請求項７】
前記導出部は、前記受付部が受け付けた前記仮想グリッド特性と、前記被写体の体格に関する情報とに基づいて決定した仮想グリッド特性に応じて、前記放射線画像の撮影条件を導出する、
請求項１から請求項６のいずれか１項に記載の放射線画像撮影装置。
【請求項８】
前記仮想グリッド特性は、前記グリッドのグリッド比である、
請求項１から請求項７のいずれか１項に記載の放射線画像撮影装置。
【請求項９】
被写体に放射線を照射することにより撮影された放射線画像に対し、前記被写体を透過した放射線に含まれる散乱線の影響を除去する散乱線除去処理を行う放射線画像撮影方法であって、
前記放射線画像の撮影において前記散乱線を除去するために仮想的に使用したものとするグリッドの特性であり、前記除去量を設定するための仮想グリッド特性の入力を受け付け、
受け付けられた仮想グリッド特性に応じて、前記放射線画像の撮影条件を導出する、
ことを含む処理を実行させる放射線画像撮影方法。
【請求項１０】
被写体に放射線を照射することにより撮影された放射線画像に対し、前記被写体を透過した放射線に含まれる散乱線の影響を除去する散乱線除去処理を行う放射線画像撮影方法をコンピュータに実行させるための放射線画像撮影プログラムであって、
前記放射線画像の撮影において前記散乱線を除去するために仮想的に使用したものとするグリッドの特性であり、前記除去量を設定するための仮想グリッド特性の入力を受け付け、
受け付けられた仮想グリッド特性に応じて、前記放射線画像の撮影条件を導出する、
ことを含む処理を実行させる放射線画像撮影プログラム。
【発明の詳細な説明】
【技術分野】
【０００１】
本発明は、放射線画像撮影装置、放射線画像撮影方法、及び放射線画像撮影プログラムに関する
【背景技術】
【０００２】
従来、被写体を透過した放射線により被写体の放射線画像を撮影する際、特に被写体の厚さが厚い場合、被写体内において放射線が散乱し、この散乱放射線（以下、「散乱線」という）により、撮影される放射線画像のコントラストが低下するという場合がある。このため、放射線画像の撮影において、散乱線の影響を軽減するために、被写体と放射線検出器との間に散乱線除去用のグリッド（以下「グリッド」という）を配置して撮影を行うことがある。グリッドを用いて撮影を行うことによって被写体により散乱された放射線が放射線検出器に到達しにくくなるため、放射線画像のコントラストを向上させることができる（例えば、特許文献１〜３参照）。
【先行技術文献】
【特許文献】
【０００３】
【特許文献１】特表２０１０−５０１２３８号公報
【特許文献２】特開平１０−１１２３９９号公報
【特許文献３】特開２００２−１８６６１４号公報
【発明の概要】
【発明が解決しようとする課題】
【０００４】
グリッドを用いた放射線画像の撮影を行う場合、使用するグリッドの特性に応じて、撮影条件が定められる。そのため、使用するグリッドの特性に応じた撮影条件の設定作業を行うことにより、技師や医師等のユーザの作業負担が増加する場合がある。
【０００５】
一方、従来技術のように、グリッドを用いた撮影を行うと、被写体像とともにグリッドに対応した細かな縞模様（モアレ）が放射線画像に含まれてしまうため、撮影された放射線画像が見難いものとなってしまう場合がある。このような縞模様を除去する画像処理も周知であるが（例えば、特開２０１３−１７２８８１号公報参照）、処理時間が増大する場合がある。
【０００６】
そこで、放射線検出器との間にグリッドを設けずに撮影された放射線画像に対して、画像処理により、散乱線の影響を除去する技術がある。さらに、使用を想定するグリッドの特性を指定し、散乱線の除去量をコントロールすることが可能である。以下、画像処理によりグリッドを設けた場合と同様に、使用を想定したグリッドの特性に基づいて、散乱線の影響を除去する処理を、仮想グリッド処理という。
【０００７】
仮想グリッド処理を用いる撮影を行う場合も、グリッドを用いて撮影を行う場合と同様に、使用を想定するグリッド特性に応じて、撮影条件が定められるため、ユーザの作業負担が増加する。
【０００８】
本発明は、撮影条件の設定に係るユーザの作業負担の軽減を図ることができる、放射線画像撮影装置、放射線画像撮影方法、及び放射線画像撮影プログラムを提供することを目的とする。
【課題を解決するための手段】
【０００９】
本発明の放射線画像撮影装置は、被写体に放射線を照射することにより撮影された放射線画像に対し、被写体を透過した放射線に含まれる散乱線の影響を除去する散乱線除去処理を行う放射線画像撮影装置であって、放射線画像の撮影において散乱線を除去するために仮想的に使用したものとするグリッドの特性であり、除去量を設定するための仮想グリッド特性の入力を受け付ける受付部と、受付部により受け付けられた仮想グリッド特性に応じて、放射線画像の撮影条件を導出する導出部と、を備える。
【００１０】
また、本発明の放射線画像撮影装置は、導出部により導出された撮影条件で放射線画像を撮影する撮影部をさらに備えていてもよい
また、本発明の放射線画像撮影装置は、撮影部により撮影された放射線画像に対し、仮想グリッド特性に応じた除去量で散乱線除去処理を実行する実行部をさらに備えていてもよい。
【００１１】
また、本発明の放射線画像撮影装置の実行部は、再撮影において、前回撮影において受け付けられた仮想グリッド特性に基づいて散乱線除去処理を行ってもよい。
【００１２】
また、本発明の放射線画像撮影装置は、仮想グリッド特性と、仮想グリッド特性に応じた撮影条件と、が対応付けられて記憶された記憶部をさらに備え、導出部は、受付部により受け付けられた仮想グリッド特性に対応する撮影条件を記憶部から読み出すことにより、撮影条件を導出してもよい。
【００１３】
また、本発明の放射線画像撮影装置は、導出部が、受付部により受け付けられた仮想グリッド特性に加えて被写体の体格に関する情報も使用して撮影条件を導出してもよい。
【００１４】
また、本発明の放射線画像撮影装置の導出部は、受付部が受け付けた仮想グリッド特性と、被写体の体格に関する情報とに基づいて決定した仮想グリッド特性に応じて、放射線画像の撮影条件を導出してもよい。
【００１５】
また、本発明の放射線画像撮影装置の仮想グリッド特性は、グリッドのグリッド比であってもよい。
【００１６】
本発明の放射線画像撮影方法は、被写体に放射線を照射することにより撮影された放射線画像に対し、被写体を透過した放射線に含まれる散乱線の影響を除去する散乱線除去処理を行う放射線画像撮影方法であって、放射線画像の撮影において散乱線を除去するために仮想的に使用したものとするグリッドの特性であり、除去量を設定するための仮想グリッド特性の入力を受け付け、受け付けられた仮想グリッド特性に応じて、放射線画像の撮影条件を導出することを含む処理を実行させる。
【００１７】
本発明の放射線画像撮影プログラムは、被写体に放射線を照射することにより撮影された放射線画像に対し、被写体を透過した放射線に含まれる散乱線の影響を除去する散乱線除去処理を行う放射線画像撮影方法をコンピュータに実行させるための放射線画像撮影プログラムであって、放射線画像の撮影において散乱線を除去するために仮想的に使用したものとするグリッドの特性であり、除去量を設定するための仮想グリッド特性の入力を受け付け、受け付けられた仮想グリッド特性に応じて、放射線画像の撮影条件を導出する、ことを含む処理を実行させるものである。
【発明の効果】
【００１８】
本発明では、撮影条件の設定に係るユーザの作業負担の軽減を図ることができる、という効果を奏する。
【図面の簡単な説明】
【００１９】
【図１】第１の実施の形態の放射線画像撮影装置の構成の一例を示す構成図である。
【図２】仮想グリッド特性と、被写体情報と、撮影条件との対応関係を表すテーブルの具体的一例を示す図である。
【図３】第１の実施の形態の撮影制御処理の一例のフローチャートを示す。
【図４】第２の実施の形態の撮影制御処理の一例のフローチャートを示す。
【図５】第３の実施の形態の撮影制御処理の一例のフローチャートを示す。
【図６】各実施の形態の放射線画像撮影装置を回診車に適用し、被写体の病室に配置した状態の具体例を示す図である。
【発明を実施するための形態】
【００２０】
以下、図面を参照して本発明の実施の形態を詳細に説明する。なお、本実施の形態は本発明を限定するものではない。
［第１の実施の形態］
本実施の形態の放射線画像撮影装置は、放射線検出器と被写体との間にグリッドを配置せず、撮影された放射線画像に対して、画像処理により散乱線の影響を除去する仮想グリッド処理を行う機能を有する。
【００２１】
まず、本実施の形態の放射線画像撮影装置の構成について説明する。図１には、本実施の形態の放射線画像撮影装置な構成の一例を示す。図１に示すように、本実施の形態の放射線画像撮影装置１０は、画像処理装置１２、Ｕ／Ｉ部１３、制御装置１４、及び撮影装置１６を備える。
【００２２】
撮影装置１６は、放射線源１８及び放射線検出器２０を備える。放射線源１８は、線源制御部２２の制御に基づいて、被写体１９に放射線Ｘを照射する機能を有する。放射線検出器２０は、放射線源１８から照射され、被写体１９を透過した放射線Ｘを検出して被写体１９の放射線画像を出力する機能を有する。本実施の形態の制御装置１４は、可搬型の電子カセッテであり、いわゆるＦＰＤ（Flat Panel Detector）である。
【００２３】
制御装置１４は、線源制御部２２及び検出器制御部２４を備える。線源制御部２２は、画像処理装置１２により設定された撮影条件に従って放射線源１８の駆動を制御する機能を有する。検出器制御部２４は、放射線検出器２０を制御し、放射線検出器２０から出力された放射線画像を取得して、画像処理装置１２に出力する機能を有する。
【００２４】
画像処理装置１２は、受付部２６、導出部２８、記憶部３０、及び実行部３２を備える。また、Ｕ／Ｉ部１３は、入力部３４及び表示部３６を備える。なお、画像処理装置１２、Ｕ／Ｉ部１３、及び制御装置１４を含んだ装置の具体的一例としては、放射線画像撮影に関するコンソールが挙げられる（後述、図６参照）。
【００２５】
入力部３４は、ユーザが、放射線画像の撮影に関する指示を、画像処理装置１２に対して行うためのものである。入力部３４の具体例としては、キーボード、マウス、及びタッチパネル等が挙げられる。
【００２６】
受付部２６は、Ｕ／Ｉ部１３の入力部３４から放射線画像の撮影に対するユーザの指示を受け付ける機能を有する。なお、本実施の形態では、放射線技師や医師等、放射線画像撮影装置１０を操作する者や放射線画像の撮影を行う者を「ユーザ」という。
【００２７】
そのため、Ｕ／Ｉ部１３は、入力部３４に対してユーザが行った指示（操作）を検出する機能を有する。本実施の形態の受付部２６は、少なくとも、入力部３４からユーザが行った仮想グリッド特性に関する指示を受け付ける機能を有している。なお、仮想グリッド特性とは、撮影された放射線画像に対して、画像処理により散乱線の影響を除去する仮想グリッド処理を行うために使用が想定される、仮想的なグリッドの特性である。
【００２８】
仮想グリッド特性として、本実施の形態の放射線画像撮影装置１０では、グリッド比を用いている。一般に、グリッドは、放射線Ｘの吸収率が高い鉛の薄膜と、鉛薄膜間の中間物質（インタースペース）で放射線Ｘの吸収率が低い物質とが、例えば４．０本／ｍｍ程度の細かな格子密度で交互に配置されている。中間物質の材料としては、例えば、アルミニウム、紙、及び炭素繊維等が用いられている。グリッド比は、鉛と鉛間の距離(中間物質の厚さ)を「１」とした場合の、鉛の高さの比率で定義される。グリッド比が高いと、散乱線の減少に効果的であるため、一般的に、使用する放射線源１８の管電圧が高いほど、高いグリッド比が用いられる。
【００２９】
本実施の形態の受付部２６は、ＬＡＮ等の通信回線や（Local Area Network）ネットワーク回線等を介して、ＲＩＳ（Radiology Information System）等の外部のシステムから放射線画像の撮影に関するオーダ等の情報を取得する機能を有する。そのため、Ｕ／Ｉ部１３は、ネットワークＩ／Ｆ（インターフェース）機能を有する。
【００３０】
記憶部３０は、仮想グリッド特性と、被写体１９の被写体情報と、撮影条件との対応関係をあらわすテーブルを記憶する機能を有する。また、本実施の形態の記憶部３０は、受付部２６で受け付ける仮想グリッド特性と、実行部３２で仮想グリッド処理を行うための情報と、を対応付けたテーブルを記憶する機能を有する。なお、仮想グリッド処理を行うための情報としては、仮想グリッドについて散乱線透過率Ｔｓ、及び被写体１９を透過して直接、放射線検出器２０に照射される一次線の透過率である一次線透過率Ｔｐを含む。散乱線透過率Ｔｓ、及び一次線透過率Ｔｐは０〜１の間の値をとる。なお仮想グリッド特性は、本実施の形態に限定されず、例えば、グリッド密度（格子密度）、収束型か平行型か、収束型の場合の集束距離、及び中間物質の材料等を含んでいてもよい。
【００３１】
記憶部３０は、不揮発性の記憶部であればよく、具体例としては、ＨＤＤ（Hard Disk Drive）等が挙げられる。図２には、仮想グリッド特性と、被写体情報と、撮影条件との対応関係を表すテーブルの具体的一例を示す。
【００３２】
図２に示すように、本実施の形態では、撮影条件として、放射線源１８の管電圧、及び被写体１９に向けて照射される放射線Ｘの線量（管電流×照射時間）を用いている。なお、撮影条件はこれに限らず、放射線源１８から放射線検出器２０までの距離や、被写体１９から放射線検出器２０までの距離等を含んでいてもよい。
【００３３】
また、開示の技術の被写体の体格に関する情報の一例である被写体情報とは、被写体１９の主に、体格に関する情報であり、具体例として、年齢、体型、及び撮影部位を含む。体型（例えば、普通や太め等）により、放射線Ｘの散乱線の量が異なる。一例として、体型が太め、すなわち被写体１９の厚み（照射方向の厚み）が大きい方が、散乱線が多くなる。また、撮影部位（例えば、胸部や腹部等）により、散乱線の量や分布が異なる。なお、被写体１９の体格（体型）は、被写体１９の身長及び体重から推定するようにしてもよい。また、被写体情報として、その他、被写体１９の放射線画像上での位置、被写体１９の組成の分布等に関する情報を含んでいてもよい。
【００３４】
導出部２８は、受付部２６で受け付けた仮想グリッド特性に対応する撮影条件を、記憶部３０に記憶されている対応関係を表すテーブルに基づいて導出する機能を有する。また、導出部２８は、導出した撮影条件を制御装置１４（線源制御部２２）に対して指示する機能を有する。
【００３５】
実行部３２は、撮影装置１６により撮影された放射線画像、より詳しくは、放射線検出器２０が出力した放射線画像を検出器制御部２４を介して取得し、取得した放射線画像に対して、仮想グリッド処理を行う機能を有する。実行部３２により仮想グリッド処理が行われた放射線画像は、Ｕ／Ｉ部１３の表示部３６に表示される。表示部３６は、放射線画像の撮影に関する情報や、撮影された放射線画像等が表示される機能を有する。表示部３６の具体例としては、液晶等のディスプレイが挙げられる。
【００３６】
実行部３２で実行される散乱線を除去するための仮想グリッド処理の具体的一例について説明する。
【００３７】
実行部３２は、検出器制御部２４を介して放射線検出器２０から取得した放射線画像を解析することにより、散乱成分情報すなわち散乱線含有率分布を得る。本実施の形態の実行部３２では、放射線画像の解析は、放射線画像の撮影における照射野情報、被写体情報、及び撮影条件に基づいて行う。なお、照射野情報とは、照射野絞りを用いて撮影を行った場合における、放射線画像に含まれる照射野の位置、及び大きさに関する照射野分布を表す情報である。
【００３８】
照射野情報、被写体情報、及び撮影条件は、上述したように放射線画像に含まれる散乱線の量や分布を決める要因となっている。例えば、照射野が大きいほど、また被写体１９の体厚さが大きいほど散乱線の量は多くなる。また、被写体１９と放射線検出器２０との間に空気が存在すると散乱線が減少する。したがって、これらの撮影に関する情報を用いることにより、より正確に散乱線含有率分布を得ることができる。
【００３９】
実行部３２は、放射線画像内の被写体１９の体厚分布Ｔ（ｘ，ｙ）から、下記の（１）及び（２）式に基づいて一次線像および散乱線像を算出する。さらに、実行部３２は、算出した一次線像および散乱線像から（３）式に基づいて、散乱線含有率分布Ｓ（ｘ，ｙ）を算出する。なお、散乱線含有率分布Ｓ（ｘ，ｙ）は０〜１の間の値をとる。
【００４０】
Ip(x,y) = Io(x,y)×exp(-μ×T(x,y))  ・・・（１）
Is(x,y) = Io(x,y)＊Sσ(T(x,y))  ・・・（２）
S(x,y) = Is(x,y)/(Is(x,y)+Ip(x,y))  ・・・（３）
【００４１】
上記（１）〜（３）式において、（ｘ，ｙ）は放射線画像の画素位置の座標、Ｉｐ（ｘ，ｙ）は画素位置（ｘ，ｙ）における一次線像、Ｉｓ（ｘ，ｙ）は画素位置（ｘ，ｙ）における散乱線像である。また、Ｉｏ（ｘ，ｙ）は画素位置（ｘ，ｙ）における被写体１９の表面への入射線量、μは被写体の線減弱係数、及びＳσ（Ｔ（ｘ，ｙ））は画素位置（ｘ，ｙ）における被写体１９の体厚に応じた散乱の特性を表す畳みこみカーネルである。上記（１）式は公知の指数減弱則に基づく式であり、（２）式は、「J M Boon et al, An analytical model of the scattered radiation distribution in diagnostic radiolog, Med. Phys. 15(5), Sep/Oct 1988」（参考文献１）に記載された手法に基づく式である。なお、被写体１９の表面への入射線量Ｉｏ（ｘ，ｙ）は、どのような値を定義してもＳ（ｘ，ｙ）を算出する際に除算によってキャンセルされるため、例えば、「１」とする等、任意の値とすればよい。
【００４２】
また、被写体１９の体厚分布Ｔ（ｘ，ｙ）は、放射線画像における輝度分布が被写体１９の体厚の分布と略一致するものと仮定し、放射線画像の画素値を線減弱係数値により厚さに変換することにより算出すればよい。なお、これに代えて、センサ等を用いて被写体１９の体厚を計測してもよいし、立方体あるいは楕円柱等のモデルで近似してもよい。
【００４３】
ここで、上記（２）式における「＊」は、畳みこみ演算を表す演算子である。カーネルの性質は、被写体１９の体厚の他に、照射野の分布、被写体１９の組成の分布、撮影条件、及び放射線検出器２０の特性等によっても変化する。上記の参考文献１に記載された手法によれば散乱線は一次線に対する位置拡張関数（point spread function、上記（２）式におけるSσ（Ｔ（ｘ，ｙ）））の畳みこみにより近似することができる。なお、Sσ（Ｔ（ｘ，ｙ））は、照射野情報、被写体情報、及び撮影条件等に応じて実験的に求めることができる。
【００４４】
なお、撮影における照射野情報、被写体情報、及び撮影条件に基づいてSσ（Ｔ（ｘ，ｙ））を算出してもよいが、各種照射野情報、各種被写体情報および各種撮影条件とSσ（Ｔ（ｘ，ｙ））とを対応づけた対応関係を表すテーブルを記憶部３０に記憶しておき、撮影における照射野情報、被写体情報、及び撮影条件に基づいて、記憶部３０に記憶されている対応関係を表すテーブルを参照してSσ（Ｔ（ｘ，ｙ））を求めるようにしてもよい。なお、Sσ（Ｔ（ｘ，ｙ））をＴ（ｘ，ｙ）にて近似するようにしてもよい。
【００４５】
実行部３２は、仮想グリッド特性、及び散乱成分情報に基づいて、放射線画像における散乱線とみなせる周波数帯域の周波数成分を低減させることにより、散乱線除去処理を行う。このため、実行部３２は、放射線画像を周波数分解して複数の周波数帯域毎の周波数成分を取得し、少なくとも１つの周波数成分のゲインを低減する処理を行い、処理済みの周波数成分およびこれ以外の周波数成分を合成して、散乱線除去処理済みの放射線画像を取得する。なお、周波数分解の手法としては、放射線画像を多重解像度変換する手法の他、ウェーブレット変換、及びフーリエ変換等、公知の任意の手法を用いることができる。
【００４６】
実行部３２は、散乱線透過率Ｔｓおよび一次線透過率Ｔｐ、並びに散乱線含有率分布Ｓ（ｘ，ｙ）から、周波数成分を変換する変換係数Ｒ（ｘ，ｙ）を下記の（４）式により算出する。
【００４７】
R(x,y) = S(x,y)×Ts + (1-S(x,y))×Tp  ・・・（４）
【００４８】
散乱線透過率Ｔｓ、一次線透過率Ｔｐ、及び散乱線含有率分布Ｓ（ｘ，ｙ）は０〜１の間の値となるため、変換係数Ｒ（ｘ，ｙ）も０〜１の間の値となる。実行部３２は、変換係数Ｒ（ｘ，ｙ）を複数の周波数帯域のそれぞれについて算出する。
【００４９】
なお、以下では、放射線画像の画素値をＩ（ｘ，ｙ）、周波数分解により得られる周波数成分画像をＩ（ｘ，ｙ，ｒ）、周波数合成をＩ（ｘ，ｙ）＝ΣｒＩ（ｘ，ｙ，ｒ）、周波数帯域毎の変換係数をＲ（ｘ，ｙ，ｒ）、周波数帯域毎の散乱線透過率および一次線透過率をＴｓ（ｒ）、Ｔｐ（ｒ）で表す。なお、ｒは周波数帯域の階層を表し、ｒが大きいほど低周波であることを表す。したがって、Ｉ（ｘ，ｙ，ｒ）は、ある周波数帯域の周波数成分画像となる。散乱線含有率分布Ｓ（ｘ，ｙ）は放射線画像に対するものをそのまま用いればよいが、散乱線透過率Ｔｓ、及び一次線透過率Ｔｐと同様に周波数帯域のそれぞれについて取得するようにしてもよい。
【００５０】
本実施の形態においては、周波数成分毎に変換係数Ｒ（ｘ，ｙ，ｒ）を算出し、周波数成分画像Ｉ（ｘ，ｙ，ｒ）に対して対応する周波数帯域の変換係数Ｒ（ｘ，ｙ，ｒ）を乗算して、周波数成分画像Ｉ（ｘ，ｙ，ｒ）の画素値を変換し、変換係数Ｒ（ｘ，ｙ，ｒ）が乗算された周波数成分画像Ｉ（ｘ，ｙ，ｒ）（すなわち、Ｉ（ｘ，ｙ，ｒ）×Ｒ（ｘ，ｙ，ｒ））を周波数合成して処理済みの放射線画像Ｉ′（ｘ，ｙ）を取得する。したがって、実行部３２において行われる処理は、下記の（５）式により表される。なお、変換係数Ｒ（ｘ，ｙ，ｒ）は０〜１の間の値となるため、周波数成分（ｘ，ｙ，ｒ）に対して対応する周波数帯域の変換係数Ｒ（ｘ，ｙ，ｒ）を乗算することにより、その周波数成分の画素位置（ｘ，ｙ）における画素値、すなわちゲインが低減されることとなる。
【００５１】
I’(x,y)=Σr{I(x,y,r)×R(x,y,r)}
=Σr{I(x,y,r)×(S(x,y)×Ts(r)+(1-S(x,y))×Tp(r))}  ・・・（５）
【００５２】
実行部３２では、上述のように算出した変換係数を用いて上記（５）式に示す処理を行うことにより取得された処理済みの放射線画像においては、使用が想定されるグリッドの特性（種類）に応じて散乱線成分が除去されたものとなる。
【００５３】
なお、本実施の形態の画像処理装置１２は、ＣＰＵ（Central Processing Unit）、ＲＯＭ（Read Only Memory）、ＲＡＭ（Random Access Memory）、及びＨＤＤ（Hard disk drive）を備えたコンピュータ等により実現される。例えば、ＣＰＵが詳細を後述する撮影制御処理のプログラムを実行することにより、導出部２８としての機能が実現する。なお、撮影制御処理のプログラムは、予めＲＯＭ等の不揮発性の記憶部に記憶させておいてもよいし、ＵＳＢ（Universal Serial Bus）メモリ等の可搬型の記憶部やネットワーク等の回線を通じて、画像処理装置１２にインストールするようにしてもよい。
【００５４】
次に、本実施の形態の放射線画像撮影装置１０の画像処理装置１２において実行される、撮影制御処理について説明する。撮影制御処理は、開示の技術の、放射線画像撮影方法の一例に対応している。
【００５５】
図３に、本実施の形態の撮影制御処理の一例のフローチャートを示す。図３に示した撮影制御処理は、例えば、受付部２６が放射線画像の撮影指示を受け付けた場合に実行される。
【００５６】
ステップＳ１００では、受付部２６は、外部のシステムや入力部３４から受け付けた、放射線画像の撮影に関するオーダ情報を表示部３６に表示させる。ここで、表示されるオーダ情報の具体例としては、被写体１９を識別するための、被写体１９の名前やＩＤ、撮影部位、撮影方向（正面等）、及び撮影枚数等が挙げられるが、特に限定されるものではなく、これから行われる放射線画像の撮影を特定するための情報であればよい。
【００５７】
オーダ情報の表示に応じて、ユーザは、被写体１９を挟んで、放射線検出器２０及び放射線源１８を撮影位置にセットする。さらにユーザは、仮想グリッド特性を含むオーダ情報を入力部３４から指示する。なお、ここでユーザが指示するオーダ情報は、上記ステップＳ１００で表示されたオーダ情報に追加する内容を指示するようにしてもよい。また、本実施の形態に限らず、上記ステップＳ１００におけるオーダ情報の表示を省略し、ここで、ユーザがオーダ情報を入力部３４から指示するようにしてもよい。なお、本実施の形態において、仮想グリッド特性とは、上述したように、具体例としてグリッド比を用いている。
【００５８】
次のステップＳ１０２では、上記のようにしてユーザが入力部３４により行った仮想グリッド特性を含むオーダ情報を受付部２６が受け付ける。なお、受け付けた情報から順次、表示部３６に表示し、ユーザに確認を促すようにするとよい。
【００５９】
次のステップＳ１０４では、導出部２８が、受け付けた仮想グリッド特性に応じた撮影条件を、記憶部３０に記憶させてあるテーブルに基づいて導出する。図２に示した具体例１では、導出部２８は、仮想グリッド特性として、グリッド比＝３：１を受け付けた場合、撮影条件として、管電圧＝αｋＶｐ、管電流＝βｍＡ、及び照射時間＝γｍｓｅｃを導出する。なお、撮影条件を導出する際、被写体情報、特に被写体１９の体格（体型等）を加味するようにしてもよい。上述したように、被写体１９の体厚が大きい場合、体厚が薄い場合に比べて、放射線源１８の管電圧を大きくすることが好ましい。そのため、被写体情報、特に、被写体１９の体厚に対して、撮影条件（主に管電圧）を異ならせた、撮影条件を対応付けたテーブルを用いることが好ましい。例えば、図２に示した具体例２では、具体例１と異なり、体型が「太め」となっているため、撮影条件の管電圧は、α＋θ（θ＞０）ｋＶｐとなっており、具体例１よりも大きくなっている。
【００６０】
次のステップＳ１０６では、導出部２８は、導出した撮影条件を制御装置１４の線源制御部２２にセットする。線源制御部２２は、導出部２８によりセットされた撮影条件に応じて、放射線源１８を制御して放射線画像の撮影を行う。
【００６１】
撮影条件がセットされると、線源制御部２２は、放射線源１８を制御して、被写体１９に対して放射線Ｘを照射する。また、検出器制御部２４が、放射線検出器２０を制御することにより、被写体１９を透過した放射線Ｘを放射線検出器２０が検出し、被写体１９像を表す放射線画像を検出器制御部２４に出力する。
【００６２】
次のステップＳ１０８では、実行部３２が、検出器制御部２４を介して、放射線検出器２０から放射線画像を受信したか否かを判定する。未だ、放射線画像の撮影中の場合等、放射線画像を未だ受信していない場合は、待機状態になる。一方、放射線画像を受信した場合は、ステップＳ１１０へ進む。
【００６３】
ステップＳ１１０では、実行部３２が、上記ステップＳ１０２で受付部２６が受け付けた仮想グリッド特性に応じた仮想グリッド処理を、受信した放射線画像に対して行い、放射線画像から散乱線の影響を除去する。具体的には、実行部３２は、受信した仮想グリッド特性（グリッド比）に対応する散乱線透過率Ｔｓ、及び一次線透過率Ｔｐを記憶部３０に記憶されている対応関係を表すテーブルから取得する。また、実行部３２は、導出部２８が導出した撮影条件を導出部２８から取得する。そして、散乱線透過率Ｔｓ、一次線透過率Ｔｐ、及び撮影条件に基づいて、上述した（１）〜（５）式を用いて、仮想グリッド処理を行う。
【００６４】
次のステップＳ１１２では、仮想グリッド処理により、実行部３２で散乱線の影響が除去された放射線画像を表示部３６に表示させた後、本処理を終了する。
【００６５】
なお、上記ステップＳ１０４の後、若しくは、ステップＳ１０６の後の、放射線画像の撮影を行う前に、ユーザにより撮影条件の微調整を行ってもよい。例えば、被写体１９の体格が普通であるが、撮影部位の体厚が普通体型として想定しているものよりも若干、大きい場合等、ユーザの判断により、管電圧等の撮影条件を調整するようにしてもよい。調整を行う場合は、入力部３４によりユーザが行った調整指示を受付部２６を介して導出部２８が取得し、取得した調整指示に基づいて、線源制御部２２に対してセットされている撮影条件を調整するように指示すればよい。また、撮影装置１６に、被写体１９の体厚を測定するセンサ等（図示省略）を設け、センサにより測定した体厚に応じて、導出部２８または、線源制御部２２が撮影条件の微調整を行うようにしてもよい。このようにして撮影条件の調整を行った場合は、ステップＳ１１０の実行部３２による仮想グリッド処理では、調整された撮影条件に応じて仮想グリッド処理を行う。
［第２の実施の形態］
次に、第２の実施の形態について説明する。なお、第１の実施の形態に係る放射線画像撮影装置１０と同様の部分については、同一符号を付して、詳細な説明を省略する。
【００６６】
放射線画像撮影装置１０の構成は、第１の実施の形態（図１参照）と同様であるため、説明を省略する。一方、本実施の形態の放射線画像撮影装置１０は、撮影制御処理において、第１の実施の形態の撮影制御処理（図３参照）と異なる処理を含むため、異なる処理について説明する。
【００６７】
図４には、本実施の形態の撮影制御処理の一例のフローチャートを示す。本実施の形態の撮影制御処理は、第１の実施例の撮影制御処理において被写体情報を得られた場合に、被写体情報に応じて仮想グリッド特性を決定し、決定した仮想グリッド特性に応じて撮影条件をセットする点で、第１の実施の形態と異なっている。そのため、図４に示すように、本実施の形態の撮影制御処理では、ステップＳ１０２とステップＳ１０４との間に、ステップＳ１０３Ａ〜Ｓ１０３Ｅの処理を含んでいる。その他のステップＳ１００〜Ｓ１１２の処理は、第１の実施の形態のステップＳ１００〜Ｓ１１２の処理と同様である。
【００６８】
すなわち、受付部２６は、放射線画像の撮影に関するオーダ情報を表示部３６に表示させる。オーダ表示に応じて、ユーザは、被写体１９を挟んで、放射線検出器２０及び放射線源１８を撮影位置にセットする。さらにユーザは、仮想グリッド特性（グリッド比）を含むオーダ情報を入力部３４から指示する。受付部２６は、仮想グリッド特性を含むオーダ情報を受け付ける。
【００６９】
本実施の形態の撮影制御処理では、上記処理の後、さらにステップＳ１０３Ａへ進む。ステップＳ１０３Ａで、導出部２８が、被写体情報を取得したか否かを判定する。例えば、ユーザが、被写体１９の体型が太めであると判断した場合は、入力部３４により被写体情報として、「太め」の体型である旨を指示する。このように受付部２６が入力部３４から被写体情報を受け付けた場合や、オーダ情報に被写体情報が含まれていた場合等は、被写体情報を取得したため、ステップＳ１０３Ｂへ進む。一方、被写体情報を取得しなかった場合は、ステップＳ１０４へ進む。
【００７０】
ステップＳ１０３Ｂで、導出部２８が、上記ステップＳ１０２で受け付けた仮想グリッド特性と、取得した被写体情報とに基づいて、記憶部３０に記憶させてあるテーブルから仮想グリッド特性を決定する。例えば、仮想グリッド特性＝３：１を受け付け、被写体情報として「普通」を取得した場合、具体例１のように、仮想グリッド特性＝３：１に決定する。また例えば、仮想グリッド特性＝３：１を受け付け、被写体情報として「太め」を取得した場合、具体例２のように、仮想グリッド特性＝４：１に決定する。
【００７１】
次のステップＳ１０３Ｃで、導出部２８が、上記ステップＳ１０３Ｂで決定した仮想グリッド特性と上記ステップＳ１０２で受け付けた仮想グリッド特性とが一致しない（≠）か否かを判定する。一致する場合は、ステップＳ１０４へ進む。一方、一致する場合は、ステップＳ１０３Ｄへ進む。
【００７２】
次のステップＳ１０３Ｄで、導出部２８が、上記ステップＳ１０３Ｂで決定した仮想グリッド特性に変更するか否かを判定する。決定した仮想グリッド特性に変更するか否かの判定方法は特に限定されないが、例えば、仮想グリッド特性を変更するか否かをユーザに問い合わせる表示を表示部３６に行い、入力部３４から受付部２６が受け付けたユーザからの問い合わせ結果に基づいて判定するようにしてもよい。また例えば、決定した仮想グリッド特性に変更するか否かが予め導出部２８内部等に設定されている場合は、設定に応じて判定するようにしてもよい。
【００７３】
決定した仮想グリッド特性に変更しない場合は、ステップＳ１０４へ進む。一方、変更する場合は、ステップＳ１０３Ｅへ進む。ステップＳ１０３Ｅで、導出部２８が、仮想グリッド特性を変更する。具体的には、上記ステップＳ１０２で受け付けた仮想グリッド特性から、ステップＳ１０３Ｂで決定した仮想グリッド特性に変更する。
【００７４】
次のステップＳ１０４で、導出部２８が、仮想グリッド特性に応じた撮影条件を、記憶部３０に記憶させてあるテーブルに基づいて導出する。ここで、導出部２８は、上記ステップＳ１０３Ｅにより仮想グリッド特性が変更されている場合は、変更後の仮想グリッド特性、すなわち、上記ステップＳ１０３Ｂで決定した仮想グリッド特性に応じた撮影条件を導出する。また、導出部２８は、仮想グリッド特性が変更されていない場合は、ステップＳ１０２で受け付けた仮想グリッド特性に応じた撮影条件を導出する。すなわち、導出部２８は、被写体情報を取得しなかった場合、決定した仮想グリッド特性が上記ステップＳ１０２で受け付けた仮想グリッド特性と一致した場合、及び上記ステップＳ１０３Ｄで決定した仮想グリッド特性に変更しないと判定した場合は、ステップＳ１０２で受け付けた仮想グリッド特性に応じた撮影条件を導出する。
【００７５】
以降の、ステップＳ１０６〜Ｓ１１２の処理は、第１の実施の形態のステップＳ１０６〜ステップＳ１１２の処理と同様である。
【００７６】
すなわち、導出部２８が、導出した撮影条件を制御装置１４の線源制御部２２にセットする。線源制御部２２は、導出部２８によりセットされた撮影条件に応じて、放射線源１８を制御して放射線画像の撮影を行う。実行部３２は、放射線検出器２０により撮影された放射線画像を受信すると、受け付けた仮想グリッド特性に応じた乱線透過率Ｔｓ、一次線透過率Ｔｐ、及び撮影条件に基づいて、上述した（１）〜（５）式を用いて、仮想グリッド処理を行う。さらに、仮想グリッド処理により、散乱線の影響が除去された放射線画像を表示部３６に表示させる。
［第３の実施の形態］
次に、第３の実施の形態について説明する。なお、上記各実施の形態に係る放射線画像撮影装置１０と同様の部分については、同一符号を付して、詳細な説明を省略する。
【００７７】
放射線画像撮影装置１０の構成は、第１の実施の形態（図１参照）と同様であるため、説明を省略する。一方、本実施の形態の放射線画像撮影装置１０は、撮影制御処理において、上記各実施の形態の撮影制御処理（図３及び図４参照）と異なる処理を含むため、異なる処理について説明する。
【００７８】
図５には、本実施の形態の撮影制御処理の一例のフローチャートを示す。本実施の形態の撮影制御処理は、第２の実施例の撮影制御処理において放射線画像を表示させた後に、再撮影を行う場合の処理が含まれる点で、第２の実施の形態と異なっている。そのため、図５に示すように、本実施の形態の撮影制御処理のステップＳ１００〜Ｓ１１２の処理は、第２の実施の形態のステップＳ１００〜Ｓ１１２の処理と同様である。
【００７９】
すなわち、受付部２６は、放射線画像の撮影に関するオーダ情報を表示部３６に表示させる。オーダ表示に応じて、ユーザは、被写体１９を挟んで、放射線検出器２０及び放射線源１８を撮影位置にセットする。さらにユーザは、仮想グリッド特性（グリッド比）を含むオーダ情報を入力部３４から指示する。受付部２６は、仮想グリッド特性を含むオーダ情報を受け付ける。
【００８０】
さらに、被写体情報を取得した場合は、導出部２８が、上記ステップＳ１０２で受け付けた仮想グリッド特性と、取得した被写体情報とに基づいて、記憶部３０に記憶させてあるテーブルから仮想グリッド特性を決定する。
さらに、決定した仮想グリッド特性と受け付けた仮想グリッド特性とが一致せず、決定した仮想グリッド特性に変更する場合は、導出部２８が、仮想グリッド特性を変更する。そして、導出部２８が、仮想グリッド特性に応じた撮影条件を、記憶部３０に記憶させてあるテーブルに基づいて導出する。導出部２８は、仮想グリッド特性が変更されている場合は、変更後の仮想グリッド特性（決定した仮想グリッド特性）に応じた撮影条件を導出する。
【００８１】
さらに、導出部２８が、導出した撮影条件を制御装置１４の線源制御部２２にセットする。線源制御部２２は、導出部２８によりセットされた撮影条件に応じて、放射線源１８を制御して放射線画像の撮影を行う。実行部３２は、放射線検出器２０により撮影された放射線画像を受信すると、受け付けた仮想グリッド特性に応じた乱線透過率Ｔｓ、一次線透過率Ｔｐ、及び撮影条件に基づいて、上述した（１）〜（５）式を用いて、仮想グリッド処理を行う。さらに、仮想グリッド処理により、散乱線の影響が除去された放射線画像を表示部３６に表示させる。
【００８２】
本実施の形態の撮影制御処理では、上記処理の後、さらにステップＳ１１４へ進む。ステップＳ１１４では、再撮影を行うか否かを判定する。ステップＳ１１２の処理により表示部３６に表示された放射線画像をユーザが確認し、好ましくない等の理由により再撮影を行う場合、ユーザは、入力部３４により、再撮影を指示する。受付部２６が再撮影の指示を入力部３４から受け付けない場合（ユーザが再撮影を指示しない場合９は、本処理を終了する。一方、受付部２６が再撮影の指示を入力部３４から受け付けた場合は、ステップＳ１１６へ進む。
【００８３】
ステップＳ１１６では、変更した撮影条件を受付部２６が受け付ける。上記のように、例えば、好ましくない放射線画像となる場合、撮影における撮影条件が適切ではなかった場合がある。このような場合の具体例としては、放射線源１８の管球の劣化により、線源制御部２２にセット（設定）したよりも多い、または少ない線量が被写体１９に照射された場合や、被写体１９の体厚が大きい場合等が挙げられる。そのため、再撮影にあたっては、撮影条件を変更することが好ましい場合があり、ユーザは、再撮影のための撮影条件を入力部３４により指示する。なお、この際、撮影条件の変更を行いやすくするために、現在の撮影条件を表示部３６に表示させて、ユーザに提示するようにしてもよい。
【００８４】
次のステップＳ１１６では、受付部２６が撮影条件を受け付けた後、ステップＳ１０６に戻って、本処理を繰り返す。
【００８５】
すなわち、ステップＳ１０６で、導出部２８が、受け付けた再撮影の撮影条件を線源制御部２２にセットする。次のステップＳ１０８では、実行部３２は放射線画像を受信したか否かを判定する。実行部３２が放射線画像を受信した場合は、次のステップＳ１１０で、実行部３２が、受信した放射線画像に対して、ステップＳ１０２で受け付けた仮想グリッド特性に応じた仮想グリッド処理を行う。次のステップＳ１１２では、仮想グリッド処理により散乱線の影響が除去された、再撮影による放射線画像を表示部３６に表示させる。このように本実施の形態の導出部２８では、再撮影の際、当初の撮影で用いた仮想グリッド特性（グリッド比）を用いて仮想グリッド処理を行う。例えば、再撮影における撮影条件が、図２に示した対応関係を示すテーブルでは、グリッド比が６：１に対応している場合がある。このような場合でも、本実施の形態の画像処理装置１２の導出部２８では、当初の撮影で用いた仮想グリッド特性（グリッド比）を適用して、仮想グリッド処理を行う。
【００８６】
なお、本実施の形態の放射線画像撮影装置１０（画像処理装置１２）は、ステップＳ１０２の処理により取得した仮想グリッド特性（グリッド比）と異なる仮想グリッド特性（グリッド比）で、仮想グリッド処理を行うことを妨げるものではない。例えば、ステップＳ１１２の処理により、表示部３６に表示された放射線画像を確認したユーザの指示により、仮想グリッド特性（グリッド比）を変更して実行部３２が仮想グリッド処理を行い、散乱線の影響を除去した放射線画像を表示部３６に表示させるようにしてもよい。
【００８７】
また、本実施の形態では、具体例として、決定した仮想グリッド特性を表示部３６に表示する等して、仮想グリッド特性を変更するか否かを判定する場合を挙げているこれに限らない。例えば、被写体情報（体型）を表示部３６に表示させて、仮想グリッド特性を変更するか否かをユーザに問い合わせ、ユーザ空の問い合わせ結果に基づいて、仮想グリッド特性の決定や変更を行うようにしてもよい。
【００８８】
また、本実施の形態では、第２の実施の形態の撮影制御処理において再撮影を行う場合について説明したがこれに限らず、第１の実施の形態の撮影制御処理において、再撮影を行う場合についても同様にすればよいことはいうまでもない。
【００８９】
以上説明したように上記各実施の形態の放射線画像撮影装置１０では、画像処理装置１２が、受付部２６、導出部２８、記憶部３０、及び実行部３２を備える。受付部２６は、入力部３４から仮想グリッド特性を受け付ける。導出部２８は、受け付けた仮想グリッド特性（グリッド比）に対応する撮影条件を記憶部３０に記憶されているテーブルに基づいて、導出する。導出部２８は、導出した撮影条件を線源制御部２２にセットする。線源制御部２２は、セットされた撮影条件に応じて放射線源１８を制御して、放射線画像の撮影を行う。画像処理装置１２の実行部３２は、放射線検出器２０により撮影された放射線画像を、検出器制御部２４を介して取得する。実行部３２は、取得した放射線画像に対して、受付部２６が受け付けた仮想グリッド特性、及び導出部２８が導出した撮影条件に基づいて、仮想グリッド処理を行い、散乱線の影響を除去した放射線画像を生成し、表示部３６に表示させる。
【００９０】
このように上記各実施の形態の放射線画像撮影装置１０では、受付部２６が受け付けた仮想グリッド特性に対応する撮影条件を導出部２８が導出して、線源制御部２２にセットするため、撮影条件の設定に係るユーザの作業負担の軽減を図ることができる。
【００９１】
また、上記各実施の形態の放射線画像撮影装置１０では、実際に放射線検出器２０と被写体１９との間にグリッドを配置せずに撮影された放射線画像を実行部３２が取得し、取得した放射線画像に対して画像処理として仮想グリッド処理を行うことにより、放射線画像から散乱線の影響を除去している。放射線検出器２０と被写体１９との間に実際に配置されるグリッドは、上述したように、鉛とアルミ等の中間物質が細かな格子密度で交互に配置されているため、重量があるものとなっている。そのため、例えば、図６のように、寝ている被写体１９と放射線検出器２０との間にグリッドを配置する必要があるが、配置の作業の負担、及び撮影における被写体１９の負担が大きいものとなる。また、収束型のグリッドの場合、放射線の斜入により放射線画像に濃度ムラが発生するおそれがある。また、放射線画像には被写体像とともにグリッドのピッチに対応した細かな縞模様（モアレ）が記録されてしまい、放射線画像が見づらいものとなってしまうおそれもある。縞模様を除去する画像処理は、従来技術として例えば、特開２０１３−１７２８８１号公報等に記載された技術等が周知であるが、従来の技術では、処理時間が増大する場合がある。これに対して、本実施の形態の放射線画像撮影装置１０では、実際のグリッドを用いずとも、グリッドを設けた場合と同様に、仮想グリッド特性に基づいた仮想グリッド処理により、放射線画像から散乱線の影響を除去しているため、被写体１９やユーザの負担をさらに低減することができる。また、放射線画像がモアレ等により見づらいものとなることを抑制することができる。
【００９２】
また、放射線画像撮影装置１０では、受付部２６で受け付けたグリッド特性に基づいて、実行部３２が仮想グリッド処理を行うため、使用を想定する仮想グリッド特性を指示することにより、散乱線の除去量をコントロールすることが可能である。
【００９３】
また、上記第１の実施の形態の放射線画像撮影装置１０では、ステップＳ１０２で受け付けた仮想グリッド特性に基づいて撮影条件をセットするため、例えば、ユーザが当初、希望した仮想グリッド特性に応じた、仮想グリッド処理が行われる。そのため、所望の仮想グリッド特性に応じた仮想グリッド処理を希望するユーザに対して、特に、負荷を低減させることができる。
【００９４】
また、上記第２及び第３の実施の形態の放射線画像撮影装置１０では、ステップＳ１０２で受け付けた仮想グリッド特性、及び被写体情報に基づいて、仮想グリッド特性を決定し、決定した仮想グリッド特性に応じて、撮影条件を導出してセットするため、より、ユーザの負荷を低減させ、適切に放射線画像から散乱線の影響を除去することができる。
【００９５】
なお、上記各実施の形態では、放射線検出器２０がＦＰＤの場合について説明したがこれに限らず、その他の形態の放射線検出器であってもよい。また、放射線画像撮影装置１０の構成も特に限定されない。なお、放射線画像撮影装置１０として、回診車に適用することが好ましい。放射線画像撮影装置１０を回診車に適用し、被写体１９の病室に配置した状態の具体例を図６に示す。
【００９６】
図６に示すように、本実施の形態に係る放射線画像撮影装置１０は、放射線検出器２０及び回診車５０を備えている。また、回診車５０は、放射線源１８と、コンソールとして機能する画像処理装置１２、Ｕ／Ｉ部１３、及び制御装置１４と、を備えている。放射線検出器２０は、寝台５２と寝台５２に仰臥している被写体１９としての患者との間に配置される。一方、本実施の形態に係る回診車５０は、アーム５４を備えており、アーム５４の一端部には放射線源１８が設けられる。放射線源１８は、寝台５２に仰臥している被写体１９の上部に配置される。また、回診車５０は、本体部５８の底部に車輪６０が設けられており、病院内を移動可能とされている。回診車５０は、Ｕ／Ｉ部１３を介して放射線画像の撮影が指示されると、撮影条件に応じて、画像処理装置１２及び制御装置１４の制御により、放射線検出器２０を用いて放射線画像の撮影を行う。
【００９７】
また、上記各実施の形態では、記憶部３０に、グリッド特性と、被写体１９の被写体情報と、撮影条件との対応関係をあらわすテーブル、及び仮想グリッド特性と、実行部３２で仮想グリッド処理を行うための情報と、を対応付けたテーブルの２つのテーブルを記憶させていたが、それぞれ別個の記憶部に記憶させるようにしてもよい。
【００９８】
また、上記各実施の形態における放射線は、特に限定されるものではなく、Ｘ線やγ線等を適用することができる。
【００９９】
その他、上記各実施の形態で説明した放射線画像撮影装置１０等の構成及び動作等は一例であり、本発明の主旨を逸脱しない範囲内において状況に応じて変更可能であることはいうまでもない。
【符号の説明】
【０１００】
１０  放射線画像撮影装置
１２  画像処理装置
１４  制御装置
１３  Ｕ／Ｉ部
２０  放射線検出器
２６  受付部
２８  導出部
３０  記憶部
３２  実行部
【図１】
2015188712.tif 000003
【図２】
2015188712.tif 000004
【図３】
2015188712.tif 000005
【図４】
2015188712.tif 000006
【図５】
2015188712.tif 000007
【図６】
2015188712.tif 000008